(57)【要約】【課題】液状物が入れられた一斗缶やペール缶等の容器を容易に搬送でき、かつ、容器から液状物を注ぐ際の負担を軽減する。【解決手段】一斗缶やペール缶等の容器が載せられるキャスタ付きの容器用台車１１と、その容器用台車１１が引っ掛けられ、容器内の内容物を注ぐため容器用台車１１の上部を前方に傾斜させる台車用スタンド１２とを備え、容器用台車１１と台車用スタンド１２とは分離可能に構成されており、容器用台車１１には、台車用スタンド１２に掛止して当該容器用台車１１が台車用スタンド１２に対し回動して傾斜するための回動軸部を設ける一方、台車用スタンド１２には、容器用台車１１の回動軸部を回動可能に支持し、当該容器用台車１１を傾斜可能に支持する一対の回動軸受部を設ける。【選択図】図１
2020193025.tif 000002
【特許請求の範囲】
【請求項１】
液状物が入れられた一斗缶やペール缶等の容器が載置されるキャスタ付きの載置台を有する容器用台車と、その容器用台車が引っ掛けられ、前記容器内の内容物を注ぐため前記容器用台車の上部を前方に傾斜させる台車用スタンドとが分離可能に構成されており、
前記容器用台車には、前記台車用スタンドに掛止して当該容器用台車が台車用スタンドに対し回動して傾斜するための回動軸部が設けられている一方、
前記台車用スタンドには、前記容器用台車の回動軸部を回動可能に支持し、当該台車用スタンドを傾斜可能に支持する回動軸受部が設けられていることを特徴とする台車分離式容器スタンド。
【請求項２】
請求項１記載の台車分離式容器スタンドにおいて、
前記容器用台車には、
前記載置台に載置された前記容器の高さよりも上方の位置に、偏心した位置に設けられた回転軸を中心に回転することによって高さの異なる前記容器の上面に外周面が当接して高さの異なる前記容器の上面を押さえる回転式容器上部ストッパが設けられていることを特徴とする台車分離式容器スタンド。
【請求項３】
請求項２記載の台車分離式容器スタンドにおいて、
前記容器用台車には、さらに、
前記載置台に載置された前記容器の高さよりも上方の位置に、基部が回動可能に支持され、回動した際に先端部が前記回転式容器上部ストッパの一部に嵌って、前記回転式容器上部ストッパの回転を防止する回転式容器上部ストッパ固定部材が設けられていることを特徴とする台車分離式容器スタンド。
【請求項４】
請求項１〜請求項３のいずれか一の請求項に記載の台車分離式容器スタンドにおいて、
前記容器用台車の載置台には、
一斗缶がずれないよう一斗缶底面の正方形の輪郭線の位置に設けられ、一斗缶の下部を固定する一斗缶下部固定部と、ペール缶がずれないようペール缶底面の円形の輪郭線の位置に設けられ、ペール缶の下部を固定するペール缶下部固定部とが設けられていることを特徴とする台車分離式容器スタンド。
【請求項５】
請求項１〜請求項４のいずれか一の請求項に記載の台車分離式容器スタンドにおいて、
前記台車用スタンドには、前記容器用台車の上部が後方に傾斜することを防止する容器上部後方傾斜ストッパが設けられていることを特徴とする台車分離式容器スタンド。
【発明の詳細な説明】
【技術分野】
【０００１】
本発明は、一斗缶やペール缶等の容器を載置して搬送等する台車分離式容器スタンドに関する。
【背景技術】
【０００２】
従来より、塗料や薬液、オイル等の液状物が入れられた一斗缶やペール缶等の容器を載置して搬送等する容器キャリアが提案されていると共に（例えば、特許文献１参照。）、容器から液状物を注ぐためのスタンドも提案されている（例えば、特許文献２参照。）。
【先行技術文献】
【特許文献】
【０００３】
【特許文献１】特開２０１９−３４７６５号公報
【特許文献２】特開２０１０−２８０４４０号公報
【発明の概要】
【発明が解決しようとする課題】
【０００４】
しかし、前述の特許文献１に記載の従来の容器キャリアは、塗料や薬液、オイル等の液状物が入れられた一斗缶やペール缶等の容器を載置して搬送することは可能であるものの、容器から液状物を注ぐことまでは考慮されてなく、液状物が入れられた重い容器を作業員が手で持って液状物を注ぐ場合、液状物の注ぎ作業の負担が大きいという問題があった。
【０００５】
その一方、前述の特許文献２に記載の従来の缶支承スタンドは、容器から液状物を注ぐことは可能であるものの、容器を載置して搬送することまでは考慮されてなく、倉庫と作業現場が離れていた場合、液状物が入れられた重い容器の搬送作業の負担が大きいという問題があった。
【０００６】
そこで、本発明はこのような問題に着目してなされたもので、液状物が入れられた容器を容易に搬送でき、かつ、容器から液状物を容易に注ぐことが可能な台車分離式容器スタンドを提供することを目的とする。
【課題を解決するための手段】
【０００７】
前記目的を達成するため、本願発明に係る台車分離式容器スタンドは、液状物が入れられた一斗缶やペール缶等の容器が載置されるキャスタ付きの載置台を有する容器用台車と、その容器用台車が引っ掛けられ、前記容器内の内容物を注ぐため前記容器用台車の上部を前方に傾斜させる台車用スタンドとが分離可能に構成されており、前記容器用台車には、前記台車用スタンドに掛止して当該容器用台車が台車用スタンドに対し回動して傾斜するための回動軸部が設けられている一方、前記台車用スタンドには、前記容器用台車の回動軸部を回動可能に支持し、当該台車用スタンドを傾斜可能に支持する回動軸受部が設けられていることを特徴とする。
また、本発明に係る台車分離式容器スタンドでは、前記容器用台車の載置台には、一斗缶がずれないよう一斗缶底面の正方形の輪郭線の位置に設けられ、一斗缶の下部を固定する一斗缶下部固定部と、ペール缶がずれないようペール缶底面の円形の輪郭線の位置に設けられ、ペール缶の下部を固定するペール缶下部固定部とが設けられていることも特徴とする。
また、本発明に係る台車分離式容器スタンドでは、前記容器用台車の載置台には、前記容器用台車の載置台には、載置された前記容器の両側を通るように一対の支柱が設けられていると共に、その一対の支柱間であって当該載置台に載置された前記容器の高さよりも上方の位置に支柱間連結部材が設けられており、その支柱間連結部材の中間には、偏心した位置に回転軸が設けられ、回転することによって外周面が高さの異なる容器の上面に当接して当該高さの異なる容器の上面を押さえる回転式容器上部ストッパが設けられていることも特徴とする。
また、本発明に係る台車分離式容器スタンドでは、前記支柱間連結部材には、さらに、基部が当該支柱間連結部材に回動可能に支持され、回動した際に先端部が前記回転式容器上部ストッパの一部に嵌って、前記回転式容器上部ストッパの回転を防止する回転式容器上部ストッパ固定部材が設けられていることも特徴とする。
また、本発明に係る台車分離式容器スタンドでは、前記台車用スタンドには、前記容器用台車の上部が後方に傾斜することを防止する容器上部後方傾斜ストッパが設けられていることも特徴とする。
【発明の効果】
【０００８】
本発明に係る台車分離式容器スタンドは、液状物が入れられた一斗缶やペール缶等の容器が載置されるキャスタ付きの載置台を有する容器用台車と、その容器用台車が引っ掛けられ、容器内の内容物を注ぐため容器用台車の上部を前方に傾斜させる台車用スタンドとが分離可能に構成しており、容器用台車には、台車用スタンドに掛止して当該容器用台車が台車用スタンドに対し回動して傾斜するための回動軸部を設ける一方、台車用スタンドには、容器用台車の回動軸部を回動可能に支持し、当該台車用スタンドを傾斜可能に支持する回動軸受部を設けている。
そのため、液状物が入れられた容器でもキャスタが設けられた容器用台車に載せて移動させることによって作業場所まで容易に搬送できると共に、作業場所に着いたら容器が載せられた容器用台車を持ちあげ、その回動軸部を台車用スタンドの回動軸受部に掛止し容器用台車ごと傾斜させて容器から液状物を注ぐことが可能となり、液状物の注入作業の負担を軽減することができる。
【図面の簡単な説明】
【０００９】
【図１】本発明に係る実施形態の台車分離式容器スタンドを斜め上方から見た際の斜視図である。
【図２】本発明に係る実施形態の台車分離式容器スタンドを構成する台車用スタンドを斜め上方から見た際の斜視図である。
【図３】（ａ），（ｂ）それぞれ本発明に係る実施形態の容器用台車の平面図、正面図である。
【図４】（ａ），（ｂ）それぞれ本発明に係る実施形態の容器用台車における回転式容器上部ストッパおよび回転式容器上部ストッパ固定部材が設けられた要部であってペール缶押え端を下方に位置させ、回転式容器上部ストッパ固定部材で回転式容器上部ストッパを固定した状態を示す要部拡大正面図、Ａ−Ａ線端面図である。
【図５】（ａ），（ｂ）それぞれ本発明に係る実施形態の容器用台車における回転式容器上部ストッパおよび回転式容器上部ストッパ固定部材が設けられた要部であって回転式容器上部ストッパ固定部材を持ち上げて回転式容器上部ストッパが回転させている態を示す要部拡大正面図、一斗缶押え端を下方に位置させ、回転式容器上部ストッパ固定部材で回転式容器上部ストッパを固定した状態を示す要部拡大正面図である。
【図６】（ａ），（ｂ）それぞれ本発明に係る実施形態の台車分離式容器スタンドを構成する１段式の台車用スタンドの側面図、正面図である。
【図７】（ａ），（ｂ）それぞれ本発明に係る実施形態の台車分離式容器スタンドを構成する台車用スタンドの右側の回動軸受部に設けた容器上部後方傾斜ストッパを示す要部拡大斜視図、容器上部後方傾斜ストッパが容器用台車１１の鉛直フレーム部１１ｂ１に当接している状態を示す要部斜視図である。
【図８】（ａ），（ｂ）それぞれ本発明に係る車分離容器スタンドを構成する別（２段式）の台車用スタンドの側面を示す側面図である。
【発明を実施するための形態】
【００１０】
以下、本発明に係る実施形態の台車分離式容器スタンドについて、図面を参照しながら説明する。ただし、下記に説明する実施形態は、あくまで本発明の一例であり、本発明は下記の実施形態に限定されるものではなく、本発明の技術思想の範囲内で適宜変更可能である。
【００１１】
以下、本発明に係る実施形態の台車分離式容器スタンド１について、図１〜図８を参照して説明する。
【００１２】
＜実施形態の台車分離式容器スタンド１全体の構成＞
実施形態の台車分離式容器スタンド１は、図１に示すように、一斗缶２ａやペール缶２ｂ等の液状物が入れられた容器２が載置される容器用台車１１と、その容器用台車１１が引っ掛けられ、容器内の内容物を注ぐため容器用台車１１の上部を前方に傾斜させる台車用スタンド１２とを分離可能に構成している。
【００１３】
（容器用台車１１）
容器用台車１１は、図２および図３(ａ)，(ｂ)に示すように、４つのキャスタ１１ａ１が９０度の角度毎に設けられたキャスタ付き載置台１１ａと、キャスタ付き載置台１１ａの左右両端部それぞれに基部（下端部）が溶接され上方に向かって少なくともキャスタ付き載置台１１ａの上に載置された一斗缶２ａやペール缶２ｂ等の容器２の高さよりも高く延びた逆Ｕ字形状の台車フレーム１１ｂと、台車フレーム１１ｂの中間よりやや上方であって一斗缶２ａやペール缶２ｂ等の容器２の高さよりも少し高い位置に設けられた回転式容器上部ストッパ１１ｃおよび回転式容器上部ストッパ固定部材１１ｄ等から構成されている。
【００１４】
（キャスタ付き載置台１１ａ）
キャスタ付き載置台１１ａは、上述したように一斗缶２ａやペール缶２ｂ等の液状物が入れられた容器が載置されるもので、図２や図３(ａ)，(ｂ)に示すようにペール缶２ｂの外径（直径）とほぼ同じ長さを有する２枚の長板を十字形状に接合した形状で、４か所の最外端部の裏面（底面）側にそれぞれキャスタ１１ａ１が設けられた十字クロス板１１ａ２と、十字クロス板１１ａ２上に載置された容器の下端部周囲を囲むように十字クロス板１１ａ２最外端部の上面側に溶接され、ペール缶２ｂの外径（直径）とほぼ同じ内径で後述する４か所の一斗缶下部固定部１１ａ３１を除き平面視ほぼ円形で、所定の高さを有するペール缶下部固定部１１ａ３とを備えて構成される。
【００１５】
ペール缶下部固定部１１ａ３は、一斗缶２ａおよびペール缶２ｂ双方の下端部周囲を囲む形状にするため、所定幅の鋼材をペール缶２ｂの外径（直径）と同じかやや大きい直径で平面視円形に丸めると共に、一斗缶２ａの下端部周囲もズレずにガードできるように一斗缶２ａの左右の幅と同じ長さで突出させた４か所の一斗缶下部固定部１１ａ３１を設けている。
【００１６】
４か所の一斗缶下部固定部１１ａ３１は、図２や図３(ａ)に示すように、それぞれ、ペール缶下部固定部１１ａ３の中心に対し９０度毎に設けられており、ペール缶下部固定部１１ａ３と十字クロス板１１ａ２との溶接個所からは４５度ずつズラした位置に設けられている。
【００１７】
（台車フレーム１１ｂ）
台車フレーム１１ｂは、図２や図３(ａ)，(ｂ)等に示すようにキャスタ付き載置台１１ａにおける対向する２つの一斗缶下部固定部１１ａ３１の外側面に基部が溶接されて立設した一対の鉛直フレーム部１１ｂ１，１１ｂ１と、その一対の鉛直フレーム部１１ｂ１，１１ｂ１の上部を連結する水平フレーム部１１ｂ２とからほぼＵ字形状に構成されている。
【００１８】
一対の鉛直フレーム部１１ｂ１，１１ｂ１の上下方向中央よりやや下方には、図２や図３(ａ)，(ｂ)に示すように、それぞれ、外側に向かって突出し、台車用スタンド１２に掛止して当該容器用台車１１が台車用スタンド１２に対し回動して傾斜するための回動軸部１１ｂ３，１１ｂ３を設けている。
【００１９】
また、一対の鉛直フレーム部１１ｂ１，１１ｂ１には、図３(ａ)，(ｂ)に示すように、回動軸部１１ｂ３，１１ｂ３よりも上方であって、キャスタ付き載置台１１ａの十字クロス板１１ａ２から一斗缶２ａおよびペール缶２ｂ等の容器２の高さｈ１，ｈ２を考慮してキャスタ付き載置台１１ａの十字クロス板１１ａ２から約４００ｍｍの高さＨに、平面視、コ字形状のストッパ取付アーム１１ｂ４を設けている。
【００２０】
ここで、一斗缶２ａおよびペール缶２ｂの寸法は、規格で決まっており、一斗缶２ａの縦×横×高さｈ１は約２４０ｍｍ×２４０ｍｍ×３５０ｍｍであり、ペール缶２ｂはその外径(直径)は約３００ｍｍで、高さｈ２が約３６０ｍｍである。そのため、高さに関してはペール缶２ｂの高さｈ２の方が一斗缶２ａの高さｈ１よりも約１０ｍｍ程度高い。
【００２１】
そのため、一斗缶２ａおよびペール缶２ｂ等の容器２の高さｈ１，ｈ２よりも高い高さＨに設けられたストッパ取付アーム１１ｂ４には、十字クロス板１１ａ２に載置された一斗缶２ａおよびペール缶２ｂの上面を固定できるように、ボルト１１ｂ５の軸部１１ｂ５１を回転軸として回転することによって高さの異なる一斗缶２ａおよびペール缶２ｂの上面に当接して固定する回転式容器上部ストッパ１１ｃを設けると共に、先端部が回転式容器上部ストッパ１１ｃに嵌って、回転式容器上部ストッパ１１ｃの回転を防止する回転式容器上部ストッパ固定部材１１ｄを設けている。
【００２２】
（回転式容器上部ストッパ１１ｃ）
回転式容器上部ストッパ１１ｃは、図４(ａ)，(ｂ)に示すように、ストッパ取付アーム１１ｂ４に固定されたボルト軸部用スリーブ１１ｂ６の貫通孔(図示せず。)に回転可能に挿入したボルト１１ｂ５の軸部１１ｂ５１に２つのナット１７ｂ７，１７ｂ７で挟持して取り付けられており、軸部１１ｂ５１を回転軸としてボルト１１ｂ５や２つのナット１７ｂ７，１７ｂ７と共に回転できるように構成されている。
【００２３】
また、ボルト１１ｂ５の頭部１１ｂ５２とボルト軸部用スリーブ１１ｂ６との間には、座金１１ｂ８を介して圧縮スプリング１１ｂ９を設けている。
【００２４】
ここで、図４(ａ)に示すように、回転式容器上部ストッパ１１ｃは、長手方向の長さＬが９０ｍｍ程であり、一方の端部であるペール缶押え端１１ｃ１から４０ｍｍ、すなわち他方の端部である一斗缶押え端１１ｃ２から５０ｍｍの位置でボルト１１ｂ５の軸部１１ｂ５１が通されて２つのナット１７ｂ７，１７ｂ７で当該軸部１１ｂ５１に固定されている。
【００２５】
よって、回転式容器上部ストッパ１１ｃは、図４(ａ)に示すようにペール缶押え端１１ｃ１側を下側にすると、十字クロス板１１ａ２からペール缶押え端１１ｃ１までの高さが４００ｍｍ−４０ｍｍ＝３６０ｍｍとなり、ペール缶２ｂの高さｈ２とほぼ同じになるので、キャスタ付き載置台１１ａの十字クロス板１１ａ２に載置されたペール缶２ｂの上面を確実に押さえる事が可能となる。そのため、回転式容器上部ストッパ１１ｃのペール缶押え端１１ｃ１側には、ペール缶押え端１１ｃ１側の押え端であることを示す円形孔部１１ｃ１１を設けている。
【００２６】
これに対し、図５(ａ)に示すように回転式容器上部ストッパ固定部材１１ｄを持ち上げて回転式容器上部ストッパ１１ｃを回転させ、図５(ｂ)に示すように一斗缶押え端１１ｃ２側を下側にすると、十字クロス板１１ａ２から一斗缶押え端１１ｃ２までの高さが４００ｍｍ−５０ｍｍ＝３５０ｍｍとなり、一斗缶２ａの高さｈ１とほぼ同じになるので、キャスタ付き載置台１１ａの十字クロス板１１ａ２に載置された一斗缶２ａの上面を確実に押さえる事が可能となる。そのため、回転式容器上部ストッパ１１ｃの一斗缶押え端１１ｃ２側には、一斗缶押え端１１ｃ２側の押え端であることを示す正方形孔部１１ｃ２１を設けている。
【００２７】
尚、回転式容器上部ストッパ１１ｃはストッパ取付アーム１１ｂ４に溶接等で設けられたボルト軸部用スリーブ１１ｂ６に軸部１１ｂ５１を中心に回転可能に設けられ、圧縮スプリング１１ｂ９等によってある程度は勝手に回転せずに、容器用台車１１に載せた一斗缶２ａまたはペール缶２ｂ上部を押さえることができるように構成されているものの、液状物が満載された一斗缶２ａやペール缶２ｂを容器用台車１１に載せて移動した場合、移動の際の振動により一斗缶２ａやペール缶２ｂも上下左右に振動して、それらの上面に当接している回転式容器上部ストッパ１１ｃは回転し易い。
【００２８】
そのため、ストッパ取付アーム１１ｂ４には、さらに、回転式容器上部ストッパ１１ｃに嵌って回転式容器上部ストッパ１１ｃの回転を防止する回転式容器上部ストッパ固定部材１１ｄも設けている。
【００２９】
（回転式容器上部ストッパ固定部材１１ｄ）
回転式容器上部ストッパ固定部材１１ｄは、コ字形状に形成されており、図４(ａ)，(ｂ)や図５(ａ)、(ｂ)等に示すようにその中間部がストッパ取付アーム１１ｂ４に溶接して設けたストッパ固定部材用スリーブ１１ｂ４１に通されて回転可能に設けられており、中間部の両側から延びる一対の両端部の内幅Ｗ２（図５(ａ)参照。）がほぼ回転式容器上部ストッパ１１ｃの幅Ｗ１（図４(ａ)参照。）と同じに形成され、図４(ａ)，(ｂ)や図５(ｂ)に示すように倒すことにより回転式容器上部ストッパ１１ｃに嵌め、回転式容器上部ストッパ１１ｃの回転を止めることができるように構成されている。尚、図４(ａ)，(ｂ)に示す状態は、回転式容器上部ストッパ１１ｃの一斗缶押え端１１ｃ２側に嵌り、この状態で回転式容器上部ストッパ１１ｃが回転しないように固定している。
【００３０】
その一方、回転式容器上部ストッパ固定部材１１ｄを図５(ａ)に示すように起こすと、回転式容器上部ストッパ固定部材１１ｄは回転式容器上部ストッパ１１ｃから外れるので、回転式容器上部ストッパ１１ｃは軸部１１ｂ５１を中心に自由に回転できる一方、図４(ａ)に示す状態から１８０度回転させ図５(ｂ)に示すように閉じた場合には、回転式容器上部ストッパ固定部材１１ｄは回転式容器上部ストッパ１１ｃのペール缶押え端１１ｃ１側に嵌るため、回転式容器上部ストッパ１１ｃは軸部１１ｂ５１を中心に自由に回転できなくなり、一斗缶押え端１１ｃ２が下側となって、一斗缶２ａの上面を確実に固定できる。
【００３１】
（台車用スタンド１２）
実施形態の台車用スタンド１２は、容器用台車１１とは別体で分離可能に構成されており、逆Ｕ字形状で鉛直方向に延びる主枠体１２ａと、その主枠体１２ａの左右の縦棒部１２ａ１，１２ａ１の中間に上端部が溶接され主枠体１２ａの前方に設けられた逆Ｕ字形状で折れ曲がった台車受枠体１２ｂと、主枠体１２ａと台車受枠体１２ｂの下部を連結する連結枠体１２ｃとを組んで構成されている。
【００３２】
主枠体１２ａは、左右一対の縦棒部１２ａ１，１２ａ１と、その縦棒部１２ａ１，１２ａ１の上端部同士を連結する横棒部１２ａ２とによってＵ字形状に形成されており、左右の縦棒部１２ａ１，１２ａ１の下端部には、それぞれ、台車用スタンド１２を移動させる際に回転するキャスター１２ａ３，１２ａ３が設けられている。
【００３３】
台車受枠体１２ｂは、先端部が主枠体１２ａの縦棒部１２ａ１，１２ａ１の中間に溶接されて水平に延びる水平棒部１２ｂ１，１２ｂ１と、水平棒部１２ｂ１，１２ｂ１の後端部から曲がって下方に斜めに延びる傾斜棒部１２ｂ２，１２ｂ２と、傾斜棒部１２ｂ２，１２ｂ２の下端部を連結する連結棒部１２ｂ３とから構成されている。
【００３４】
台車受枠体１２ｂの左右の水平棒部１２ｂ１，１２ｂ１には、それぞれ、容器用台車１１の回動軸部１１ｂ３，１１ｂ３を回動可能に支持し、当該容器用台車１１を傾斜可能に支持する左右一対の回動軸受部１２ｄ，１２ｄが溶接等によって設けられている。
【００３５】
左右一対の回動軸受部１２ｄ，１２ｄは、それぞれ、台車受枠体１２ｂの左右の水平棒部１２ｂ１，１２ｂ１に９０度折り曲げられた２個のアングル片１２ｄ１，１２ｄ２を溶接することによって三角形が２個連続するように設けられている。
【００３６】
そのため、左右一対の回動軸受部１２ｄ，１２ｄは、それぞれ、容器用台車１１の回動軸部１１ｂ３，１１ｂ３を上方から着脱可能に載置できると共に、近接して設けた２個のアングル片１２ｄ１，１２ｄ２の傾斜対向辺によって容器用台車１１を回動可能に支持して自由に傾斜でき、容器用台車１１に積載された容器から液状物を注ぐことができる。
【００３７】
そして、本実施形態では、図６(ｂ)や図７(ａ)，(ｂ)等に示すように、左右一対の回動軸受部１２ｄ，１２ｄの内、正面視、左側の回動軸受部１２ｄの後方側のアングル片１２ｄ２には、鉛直状態にある容器用台車１１の台車フレーム１１ｂの左側の鉛直フレーム部１１ｂ１に当接して容器用台車１１の上部が後方に傾斜することを防止する容器用台車１１の傾斜を止める容器上部後方傾斜ストッパ１２ｅを設けている。
【００３８】
＜実施形態の台車分離式容器スタンド１の使用方法＞
次に、以上のように構成された実施形態の台車分離式容器スタンド１の使用方法の一例について説明する。
【００３９】
（容器用台車１１に容器を載せて搬送）
倉庫から液状物が入れられた重い一斗缶２ａやペール缶２ｂ等の容器を作業現場まで運ぶ場合、実施形態の台車分離式容器スタンド１では、作業者が直に容器を持って倉庫から作業現場まで運ぶ必要はなく、倉庫まで移動させた容器用台車１１に容器を載せる。
【００４０】
その際、容器用台車１１にはキャスター１１ａが設けられているので、容器用台車１１を転がすことによって倉庫から作業現場まで簡単に運ぶことができる。
【００４１】
また、容器を載せる容器用台車１１のキャスタ付き載置台１１ａは、図２や図３(ａ)，(ｂ)に示すようにペール缶２ｂの外径とほぼ同じ長さを有する２枚の長板を十字形状に重ね合せた形状の十字クロス板１１ａ２と、十字クロス板１１ａ２上に載置された容器の下端部周囲を囲むように十字クロス板１１ａ２最外端部の上面側に溶接され所定の高さを有するペール缶下部固定部１１ａ３とを備えると共に、一斗缶２ａの下端部周囲もズレずにガードできるように一斗缶２ａの左右の幅と同じ長さで突出させた４か所の一斗缶下部固定部１１ａ３１を設けている。
【００４２】
そのため、容器用台車１１のキャスタ付き載置台１１ａに一斗缶２ａおよびペール缶２ｂのいずれの容器を載せた場合でも、ペール缶下部固定部１１ａ３または４か所の一斗缶下部固定部１１ａ３１によって一斗缶２ａおよびペール缶２ｂのいずれの下端部もズレで脱落しないように確実にガードした状態で載せることができる。
【００４３】
また、容器用台車１１のキャスタ付き載置台１１ａに載せた一斗缶２ａおよびペール缶２ｂの上部の固定は、作業現場に到着してからでも問題はないが、容器用台車１１のキャスタ付き載置台１１ａに一斗缶２ａまたはペール缶２ｂを載せた倉庫等においても、回転式容器上部ストッパ１１ｃと回転式容器上部ストッパ固定部材１１ｄを利用して、次のようにして行うことができる。
【００４４】
つまり、キャスタ付き載置台１１ａに一斗缶２ａを載せた場合は、図５(ａ)に示すように回転式容器上部ストッパ固定部材１１ｄを上げて回転式容器上部ストッパ１１ｃを回転させ、図５(ｂ)に示すように一斗缶押え端１１ｃ２の方を下側にすると、十字クロス板１１ａ２から一斗缶押え端１１ｃ２までの高さが４００ｍｍ−５０ｍｍ＝３５０ｍｍとなり、一斗缶２ａの高さｈ１とほぼ同じになるので、十字クロス板１１ａ２に載置された一斗缶２ａの上面を確実に押さえる事ができる。
【００４５】
これに対し、キャスタ付き載置台１１ａにペール缶２ｂを載せた場合は、同様に回転式容器上部ストッパ固定部材１１ｄを上げて回転式容器上部ストッパ１１ｃを回転させ、図４(ａ)に示すようにペール缶押え端１１ｃ１の方を下側にすると、十字クロス板１１ａ２からペール缶押え端１１ｃ１までの高さが４００ｍｍ−４０ｍｍ＝３６０ｍｍとなり、ペール缶２ｂの高さｈ２とほぼ同じになるので、十字クロス板１１ａ２に載置されたペール缶２ｂの上面を確実に押さえる事ができる。
【００４６】
そして、回転式容器上部ストッパ１１ｃのペール缶押え端１１ｃ１または一斗缶押え端１１ｃ２によってペール缶２ｂまたは一斗缶２ａの上部を押さえてキャスタ付き載置台１１ａに載せた状態でも、容器用台車１１を移動させても問題はない。
【００４７】
しかし、ペール缶押え端１１ｃ１または一斗缶押え端１１ｃ２の中には液状物が入っており、容器用台車１１による移動の際、振動によって液状物が揺れペール缶押え端１１ｃ１または一斗缶押え端１１ｃ２自体が揺れたり暴れたりして、回転式容器上部ストッパ１１ｃを回転させる可能性もある。
【００４８】
そのため、図４(ａ)，(ｂ)や図５(ｂ)に示すように、回転式容器上部ストッパ１１ｃのペール缶押え端１１ｃ１または一斗缶押え端１１ｃ２によってペール缶２ｂまたは一斗缶２ａの上部を押さえた後、回転式容器上部ストッパ固定部材１１ｄを回転させ、現在、ペール缶２ｂまたは一斗缶２ａの上部を押さえている回転式容器上部ストッパ１１ｃのペール缶押え端１１ｃ１または一斗缶押え端１１ｃ２とは反対側の一斗缶押え端１１ｃ２またはペール缶押え端１１ｃ１に嵌めて回転式容器上部ストッパ１１ｃが回転しないように固定する。
【００４９】
（容器を載せた容器用台車１１を台車用スタンド１２に載せて作業）
以上のようにしてキャスタ付き載置台１１ａに載せた一斗缶２ａまたはペール缶２ｂの上部を回転式容器上部ストッパ１１ｃおよび回転式容器上部ストッパ固定部材１１ｄによって押さえた後、作業者は容器を載せた容器用台車１１を作業現場まで移動させ、作業現場において一斗缶２ａまたはペール缶２ｂを載せた状態のまま容器用台車１１を持ち上げ、図1に示すように容器用台車１１の回動軸部１１ｂ３，１１ｂ３を台車用スタンド１２の回動軸受部１２ｃ，１２ｃを載せる。尚、回転式容器上部ストッパ１１ｃおよび回転式容器上部ストッパ固定部材１１ｄによって容器の上部を押さえる作業は、倉庫ではなく、作業現場に到着してから行っても勿論良い。
【００５０】
容器用台車１１を台車用スタンド１２に載せると、台車用スタンド１２の回動軸受部１２ｃ，１２ｃが容器用台車１１の回動軸部１１ｂ３，１１ｂ３を回動可能に支持するため、作業者は、台車フレーム１１ｂ等を掴んで容器用台車１１を傾斜させることによって容器用台車１１に載せた一斗缶２ａまたはペール缶２ｂも斜めにして、それらの中に入れた塗料や薬剤等の液状物を注ぐことができる。
【００５１】
そして、片側の回動軸受部１２ｄの後側のアングル片１２ｄ２には、図７(ａ)，(ｂ)に示すように鉛直状態にある容器用台車１１の台車フレーム１１ｂの一対の鉛直フレーム部１１ｂ１，１１ｂ１に当接する容器上部後方傾斜ストッパ１２ｅを設けているため、台車用スタンド１２に載せた容器用台車１１を傾斜させる際、容器用台車１１の上部は後方に傾斜せず、前方にのみ傾斜するように制限することができる。
【００５２】
そのため、作業車が容器用台車１１に固定された一斗缶２ａまたはペール缶２ｂから手を離した場合でも、台車用スタンド１２に掛止した容器用台車１１に固定された一斗缶２ａまたはペール缶２ｂが回転して揺れることを確実に防止でき、一斗缶２ａまたはペール缶２ｂ内の液状物の注入作業を容易かつ安全に行うことが可能となる。
【００５３】
＜本発明に係る実施形態の車分離式容器スタンド１の主な効果＞
以上説明したように、本発明に係る台車分離式容器スタンド１は、一斗缶２ａやペール缶２ｂ等の液状物が入れられた容器が載置されるキャスタ付きの十字クロス板１１ａ２を有する容器用台車１１と、その容器用台車１１が引っ掛けられ、容器内の内容物を注ぐため容器用台車１１の上部を前方に傾斜させる台車用スタンド１２とを備え、容器用台車１１と台車用スタンド１２とは分離可能に構成しており、容器用台車１１には、台車用スタンド１２に掛止して当該容器用台車１１が台車用スタンド１２に対し回動して傾斜するための回動軸部１１ｂ３，１１ｂ３を設ける一方、台車用スタンド１２には、容器用台車１１の回動軸部１１ｂ３，１１ｂ３を回動可能に支持し、当該容器用台車１１を傾斜可能に支持する一対の回動軸受部１２ｃ，１２ｃを設けている。
【００５４】
そのため、液状物が入れられた容器をキャスタが設けられた容器用台車１１のキャスタ付き載置台１１ａに載せて移動させることによって作業場所まで容易に搬送できると共に、作業場所に着いたら容器が載せられた容器用台車１１を持ちあげ、その回動軸部１１ｂ３，１１ｂ３を台車用スタンド１２の一対の回動軸受部１２ｃ，１２ｃに掛止し容器用台車１１ごと傾斜させて容器から液状物を注ぐことが可能となり、液状物の注入作業の負担を軽減することができる。
【００５５】
また、本発明に係る台車分離式容器スタンド１では、容器用台車１１のキャスタ付き載置台１１ａには、一斗缶２ａがずれないよう一斗缶底面の正方形の輪郭線の位置に設けられ、一斗缶２ａの下部を固定する一斗缶下部固定部１１ａ３１を有すると共に、ペール缶２ｂがずれないようペール缶２ｂ底面の円形の輪郭線の位置に設けられ、ペール缶２ｂの下部を固定するペール缶下部固定部１１ａ３を設けている。
【００５６】
そのため、容器用台車１１に載せて運ぶ容器が一斗缶２ａの場合でも、ペール缶２ｂの場合でも、一斗缶２ａおよびペール缶２ｂの下部を確実に固定して運搬することができると共に、容器用台車１１を台車用スタンド１２にセットして容器を載せた容器用台車１１をそのまま傾斜させて液状物を注ぐ場合でも、容器の下部を確実に固定して液状物を注ぐことができる。
【００５７】
また、本発明に係る台車分離式容器スタンド１では、容器用台車１１のキャスタ付き載置台１１ａには、載置された容器の両側を通るように一対の鉛直フレーム部１１ｂ１，１１ｂ１が設けられていると共に、その一対の鉛直フレーム部１１ｂ１，１１ｂ１間であって当該十字クロス板１１ａ２に載置された容器の高さよりも上方の位置にストッパ取付アーム１１ｂ４を設け、そのストッパ取付アーム１１ｂ４の中間には、一斗缶押え端１１ｃ２またはペール缶押え端１１ｃ１を有する回転式容器上部ストッパ１１ｃを設けている。
【００５８】
そのため、高さの異なる一斗缶２ａやペール缶２ｂの容器であっても回転式容器上部ストッパ１１ｃによってそれら容器の上面を押さえる事が可能となるので、容器用台車１１に載せて運ぶ容器が一斗缶２ａまたはペール缶２ｂの場合や、容器用台車１１を台車用スタンド１２にセットして容器を載せた容器用台車１１をそのまま傾斜させて液状物を注ぐ場合でも、容器の上部を確実に固定して液状物を注ぐことができる。
【００５９】
また、本発明に係る台車分離式容器スタンド１では、ストッパ取付アーム１１ｂ４にさらに、回転式容器上部ストッパ１１ｃに嵌って回転式容器上部ストッパ１１ｃの回転を防止する回転式容器上部ストッパ固定部材１１ｄを設けている。
【００６０】
そのため、容器用台車１１に容器を載せて移動する際や容器を載せた容器用台車１１を台車用スタンド１２にセットして傾斜させて液状物を注ぐ際等に、振動や傾斜によって液状物が揺れ容器内の液状物が揺れたり暴れたりして、回転式容器上部ストッパ１１ｃを回転させようとしても、回転式容器上部ストッパ固定部材１１ｄが回転式容器上部ストッパ１１ｃの回転を防止しているので、回転式容器上部ストッパ１１ｃだけ設ける場合よりも、より確実に容器の上部を固定することができる。
【００６１】
また、本発明に係る実施形態の台車分離式容器スタンド１では、台車用スタンド１２の左側の回動軸受部１２ｄの後方のアングル片１２ｄ２には、容器上部後方傾斜ストッパ１２ｅを設けている。
【００６２】
そのため、容器を載せた容器用台車１１を台車用スタンド１２にセットして傾斜させて液状物を注ぐ際に、容器を載せた容器用台車１１の後方への回転し過ぎを防止でき、液状物を注ぐ作業の負担を軽減することが可能となる。
【００６３】
尚、上記実施形態の説明では、台車分離式容器スタンド１を構成する台車用スタンド１２は、図１や図６等に示すように容器用台車１１を１台のみ設置可能な台車用スタンド１２で説明したが、本発明では、これに限らず、例えば、図８(ａ)，(ｂ)に示すように高さを変えて高低それぞれの箇所に回動軸受部１２ｄ’，１２ｄ’および容器上部後方傾斜ストッパ１２ｅ’を設けて、高低２段の回動軸受部１２ｄ’，１２ｄ’それぞれに上述した容器用台車１１を設置して、２台の容器用台車１１を同時に設置可能に構成した台車用スタンド１２’を使用しても良いし、３段以上に回動軸受部１２ｄ’，１２ｄ’を設けるようにしても勿論良い。
【００６４】
図８(ａ)，(ｂ)に示す２段構成の場合、上段の回動軸受部１２ｄ’，１２ｄ’では、左右それぞれの主枠体１２ａ’，１２ａ’の水平棒部１２ａ４’，１２ａ４’に図６(ａ)，(ｂ)等に示す場合と同様に２個のアングル片１２ｄ１’，１２ｄ２’を隣接して溶接して構成すると共に、例えば、正面視、左側の回動軸受部１２ｄ’の後方側のアングル片１２ｄ２’に容器上部後方傾斜ストッパ１２ｅ’を設ける。
【００６５】
ただし、下段の回動軸受部１２ｄ’，１２ｄ’では、図８(ａ)，(ｂ)に示すように、左右それぞれの台車受枠体１２ｂ’，１２ｂ’の水平棒部１２ｂ１’，１２ｂ１’における主枠体１２ａ’，１２ａ’の第２縦棒部１２ａ５’，１２ａ５’との接合箇所近傍にそれぞれ１個のアングル片を溶接して第２縦棒部１２ａ５’，１２ａ５’の間で容器用台車１１の回動軸部１１ｂ３，１１ｂ３を回転可能に支持するように構成すると共に、例えば、正面視、左側の主枠体１２ａ’の第２縦棒部１２ａ５’に容器上部後方傾斜ストッパ１２ｅ’を設ける。
【００６６】
このように２台の容器用台車１１を設置できる台車用スタンド１２’を使用する場合には、２台の容器用台車１１を用意し、例えば、１台目の容器用台車１１には一斗缶２ａ、２台目の容器用台車１１にはペール缶２ｂを積載して、それら２台の容器用台車１１を台車用スタンド１２’にセットすることもできるし、２台の容器用台車１１に一斗缶２ａまたはペール缶２ｂのいずれか一方の種類の容器を積載させても良いし、台車用スタンド１２’の高低２段の回動軸受部１２ｄ’，１２ｄ’のいずれかの高さの回動軸受部１２ｄ’，１２ｄ’を使用して１台の容器用台車１１を使用することもできる。
【符号の説明】
【００６７】
１  台車分離式容器スタンド
１１  容器用台車
１１ａ  キャスタ付き載置台
１１ａ１  キャスタ
１１ａ２  十字クロス板
１１ａ３  ペール缶下部固定部
１１ａ３１  一斗缶下部固定部
１１ｂ  台車フレーム
１１ｂ１，１１ｂ１  鉛直フレーム部
１１ｂ２  水平フレーム部
１１ｂ３，１１ｂ３  回動軸部
１１ｂ４  ストッパ取付アーム
１１ｃ  回転式容器上部ストッパ
１１ｃ１  ペール缶押え端
１１ｃ２  一斗缶押え端
１１ｄ  回転式容器上部ストッパ固定部材
１２，１２’  台車用スタンド
１２ａ  主枠体
１２ａ３，１２ａ３  キャスター
１２ｂ  台車受枠体
１２ｂ１，１２ｂ１  水平棒部
１２ｃ，１２ｃ  連結棒体
１２ｄ，１２ｄ  回動軸受部
１２ｄ１，１２ｄ２  アングル片
１２ｅ  容器上部後方傾斜ストッパ
２ａ  一斗缶（容器）
２ｂ  ペール缶（容器）
【図１】
2020193025.tif 000003
【図２】
2020193025.tif 000004
【図３】
2020193025.tif 000005
【図４】
2020193025.tif 000006
【図５】
2020193025.tif 000007
【図６】
2020193025.tif 000008
【図７】
2020193025.tif 000009
【図８】
2020193025.tif 000010